(57)【要約】【課題】  遊技操作手段を要する機種の部材を不要機種で共用する際に操作不能状態として構成できるとともに、誤操作等の回避性を向上させた遊技機の操作スイッチ取付構造を提供する。【解決手段】  扉部材３における前面側に露出して押圧操作可能な操作部７０を配設し、一端部が操作部の後端部に繋がれ、他端部が操作部の押圧操作に応じて連動作動する運動伝達機構（リンク機構１９０，カム機構２９０）を扉部材３に固設し、扉部材３を閉止姿勢として操作部７０を押圧したときに、運動伝達機構１９０，２９０の他端部と近接対向して配設されて運動伝達機構の他端部の連動作動を検出する検出部材７６を有した第１の遊技盤１０と、運動伝達機構１９０，２９０の他端部と近接対向して配設されて運動伝達機構の他端部の連動作動を阻止する阻止部材８６を有した第２の遊技盤２０とのいずれかを、選択的に前枠２に取付可能に構成している。同様に、遊技機を少なくとも一部覆うように設けられる球皿４に押圧操作可能な操作部を設け、上記同様の遊技盤を取り付けて構成している。【選択図】  図５
2006034807.tif 000002
【特許請求の範囲】
【請求項１】
矩形枠状の前枠と、
前記前枠に着脱自在に取り付けられ、略中央部に遊技領域を区画形成してなる遊技盤と、
前記前枠の前面に開閉自在に取り付けられ、常には前記遊技盤の前面を覆う閉止姿勢とされて前記遊技盤と対向する扉部材とを有して構成される遊技機において、
前記扉部材における前面側に露出して押圧操作可能な操作部が配設され、
一端部が前記操作部の後端部に繋がれ、他端部が前記操作部の押圧操作に応じて連動作動する運動伝達機構が前記扉部材に固設されており、
前記扉部材を閉止姿勢として前記操作部が押圧されたときに、前記運動伝達機構の他端部と近接対向して配設されて前記運動伝達機構の他端部の連動作動を検出する検出部材を有した第１の前記遊技盤と、前記運動伝達機構の他端部と近接対向して配設されて前記運動伝達機構の他端部の連動作動を阻止する阻止部材を有した第２の前記遊技盤とのいずれかを選択的に前記前枠に取付可能に構成されることを特徴とする遊技機の操作スイッチ取付構造。
【請求項２】
前記運動伝達機構は、上端部が前記操作部の前記後端部に枢結されるとともに中央部に設けられる支点を中心に揺動可能な第１レバーと、上端部が前記第１レバーの下端部と枢結されるとともに中央部に設けられる支点を中心に揺動可能な第２レバーとから構成されるリンク機構であって、前記扉部材を閉止姿勢としたときに前記第２レバーの下端部が前記検出部材および前記阻止部材のいずれかと近接対向することを特徴とする請求項１に記載の遊技機の操作スイッチ取付構造。
【請求項３】
前記運動伝達機構は、前記操作部の前記後端部に枢結された転子部材と、前記扉部材に設けられたガイド部材に保持されて上下方向に直動可能なカムプレートとを有してなる直動カム機構であって、カムプレートの両端部にはテーパが形成されており、前記カムプレートの一端部のテーパを前記転子部材が転動可能とされるとともに、前記扉部材を閉止姿勢としたときに前記カムプレートの他端部のテーパが前記検出部材および前記阻止部材のいずれかと近接対向することを特徴とする請求項１に記載の遊技機の操作スイッチ取付構造。
【請求項４】
矩形枠状の前枠と、
前記前枠に着脱自在に取り付けられ、略中央部に遊技領域を区画形成してなる遊技盤と、
前記前枠の前面に開閉自在に取り付けられ、常には少なくとも前記遊技盤の前面の一部を覆う閉止姿勢とされて前記遊技盤と対向する球皿とを有して構成される遊技機において、
前記球皿における前面側に露出して押圧操作可能な操作部が配設され、
一端部が前記操作部の後端部に繋がれ、他端部が前記操作部の押圧操作に応じて連動作動する運動伝達機構が前記球皿に固設されており、
前記球皿を閉止姿勢として前記操作部が押圧されたときに、前記運動伝達機構の他端部と近接対向して配設されて前記運動伝達機構の他端部の連動作動を検出する検出部材を有した第１の前記遊技盤と、前記運動伝達機構の他端部と近接対向して配設されて前記運動伝達機構の他端部の連動作動を阻止する阻止部材を有した第２の前記遊技盤とのいずれかを選択的に前記前枠に取付可能に構成されることを特徴とする遊技機の操作スイッチ取付構造。
【請求項５】
前記運動伝達機構は、上端部が前記操作部の前記後端部に枢結されるとともに中央部に設けられる支点を中心に揺動可能な第１レバーと、上端部が前記第１レバーの下端部と枢結されるとともに中央部に設けられる支点を中心に揺動可能な第２レバーとから構成されるリンク機構であって、前記球皿を閉止姿勢としたときに前記第２レバーの下端部が前記検出部材および前記阻止部材のいずれかと近接対向することを特徴とする請求項４に記載の遊技機の操作スイッチ取付構造。
【請求項６】
前記運動伝達機構は、前記操作部の前記後端部に枢結された転子部材と、前記球皿に設けられたガイド部材に保持されて上下方向に直動可能なカムプレートとを有してなる直動カム機構であって、カムプレートの両端部にはテーパが形成されており、前記カムプレートの一端部のテーパを前記転子部材が転動可能とされるとともに、前記球皿を閉止姿勢としたときに前記カムプレートの他端部のテーパが前記検出部材および前記阻止部材のいずれかと近接対向することを特徴とする請求項４に記載の遊技機の操作スイッチ取付構造。
【発明の詳細な説明】
【技術分野】
【０００１】
本発明は、遊技領域が形成される遊技盤、この遊技盤の前面を覆って設けられる扉部材等からなる遊技機の操作スイッチ取付構造に関する。
【背景技術】
【０００２】
上記のような遊技機に、例えばパチンコ機がある。パチンコ機は、前面に略円形の遊技領域が区画形成された遊技盤を前枠に立設姿勢で収容保持し、ガラス、アクリル等の透明板材を有する扉部材を前枠の前面側に開閉自在に取り付けて遊技領域を前面側から透視できるように構成されており、扉部材の直下に位置する球皿内に貯留された遊技球を遊技球発射装置により遊技領域内に打ち出して行う遊技に供される。遊技球が貯留される球皿はその用途から遊技者にとって手の届き易い位置に配設されており、遊技球発射装置を作動操作する発射ハンドルが球皿の正面視右部に前方へ突出して設けられているのをはじめとして各種の遊技操作手段がこのような球皿周辺に集約的に配設されている。
【０００３】
これら遊技操作手段の中には、カードユニットから遊技球を借り入れるための球貸操作手段、カードユニットから遊技カードを排出させるための返却操作手段、特別遊技中に実行されるサブゲーム等の入力操作を行うためのサブ入力操作ボタンなどがあり、これらは、前面にボタン操作部を露出させて配したプッシュボタン式形態や、静電容量方式、赤外線反射方式等のセンサを球皿、遊技盤等に配したタッチセンサ式形態等で構成される。
【０００４】
なお、機種によっては、このような遊技操作手段および該操作手段で作動する装置、機器を要するものと不要とするものがあるが、例えばカードユニットを要する機種（いわゆる「ＣＲ機」）においてプッシュボタン式形態による球貸操作手段を取り付けて構成した球皿を、カードユニットを不要とする機種（いわゆる「現金機」）の球皿として供するにあたっては、遊技者の誤解を防止するといった観点からいっても、操作に応じて他の何らかの装置が作動しないように構成されることは当然のこと、球貸操作手段の操作部を押圧しても押圧方向に対して不動とされるような状態（以下、「操作不能状態」とも称する）となることが好ましいとされる。
【０００５】
また、遊技盤は、所定図柄が印刷されたセルを貼り付けて形成される化粧板の前面に略円形状の遊技領域を区画形成し、遊技領域内に遊技釘、入賞具等の遊技構成部品を所定のゲージ設定条件下で取り付けて構成される。ここで、セルに印刷される図柄は機種ごとに付与される遊技テーマに即した特徴あるデザインが創作されており、遊技構成部品においても機種により特徴ある形状とされることがある。従って、新型機の製作にあたっては、製作コストの低減、リサイクル性の観点から、扉部材、球皿、遊技球の経路を備えた機構盤、あるいはこれらが取り付けられる枠部材等は共通機構、共通部材として新旧の機種で共用可能とされる一方で、上記特性を有する遊技盤の入替作業（以下、「盤面替え」とも称する）は必須のものとされている。
【発明の開示】
【発明が解決しようとする課題】
【０００６】
パチンコ機を製作する上では、遊技盤はともかくとして、他の機構、構成部材は機種によらず共用可能であることが製作コスト上好ましい。ここで、遊技操作手段を要する機種と不要とする機種との間においてパチンコ機を構成する各機構、構成部材の共用化を図る場合には、上記したように不要機種において遊技操作手段が操作不能状態となるように構成されることが求められる。
【０００７】
しかしながら、従来のパチンコ機に備えられる遊技操作手段のように、例えば静電容量方式のタッチセンサを球皿外部に突出するように配して操作手段を構成すると、該操作手段を要する機種と不要機種とで球皿を共通化することができず、製作コストが上昇するという問題がある。また、プッシュボタン式形態の操作手段を球皿に設ける構成においても、この球皿を不要機種に供するにあたっては、従来においては、ボタン操作部を操作不能状態とするために盲部材に付け替える必要や、機種毎にスイッチを着脱する必要等が生じ、同様にして球皿を共通化できず、交換作業の煩雑化を招くという問題がある。
【０００８】
また、タッチセンサ式形態による遊技操作手段を遊技領域内に設ける構成とすると、遊技盤以外の部材の共通化を図ることはできるが、扉部材の背面側にセンサが配設されることとなる。このため、遊技者の操作を非接触状態で検出しなければならず、遊技者の操作意図のない不意な動作が誤検出されるおそれがあるといった問題がある。なお、遊技領域内にセンサを配設する構成であると、遊技球の落下により生じる衝撃を回避するために、センサ配設位置周辺を遊技球の落下不能領域として区画することが好ましい。ところが、このように区画すると、遊技球を落下可能とする遊技領域が円の一部を切り欠いた非対称形状となって遊技釘のゲージ設定が困難となり、安定したゲーム展開の提供に支障を来すおそれがあるという問題も生じる。
【０００９】
上記問題に鑑み、本発明は、遊技操作手段を要する機種の部材を不要機種と共用する際に、不要機種においては操作不能状態として構成できるとともに、誤操作及び誤検出が生じる可能性を低下させることができる遊技機の操作スイッチ取付構造を提供することを目的とする。
【課題を解決するための手段】
【００１０】
上記目的達成のため、本発明に係る遊技機の操作スイッチ取付構造は、矩形枠状の前枠と、この前枠に着脱可能に取り付けられ、略中央部に遊技領域を区画形成してなる遊技盤と、前枠の前面に開閉自在に取り付けられ、常には遊技盤の前面を覆う閉止姿勢とされて遊技盤と対向する扉部材とを有して構成される遊技機において、扉部材における前面側に露出して押圧操作可能な操作部を配設し、一端部が操作部の後端部に繋がれ、他端部が操作部の押圧操作に応じて連動作動する運動伝達機構（例えば、実施形態におけるリンク機構１９０、カム機構２９０）を扉部材に固設し、扉部材を閉止姿勢として操作部を押圧したときに、運動伝達機構の他端部と近接対向して配設されて運動伝達機構の他端部の連動作動を検出する検出部材を有した第１の遊技盤と、運動伝達機構の他端部と近接対向して配設されて運動伝達機構の他端部の連動作動を阻止する阻止部材を有した第２の遊技盤とのいずれかを、選択的に前枠に取付可能に構成している。
【００１１】
上記運動伝達機構を、上端部が操作部の後端部と枢結されるとともに中央部に設けられる支点を中心に揺動可能な第１レバーと、上端部が第１レバーの下端部と枢結されるとともに中央部に設けられる支点を中心に揺動可能な第２レバーとから構成されるリンク機構とし、扉部材を閉止姿勢としたときに第２レバーの下端部が検出部材および阻止部材のいずれかと近接対向させるように構成することが好ましい。
【００１２】
上記運動伝達機構を、操作部の後端部に枢結される転子部材と、扉部材に設けられたガイド部材に保持されて上下方向に直動可能なカムプレートとを有してなる直動カム機構とし、カムプレートの両端部にテーパを形成し、一端部のテーパに転子部材が転動可能とするとともに、扉部材を閉止姿勢としたときに他端部のテーパを検出部材および阻止部材のいずれかと近接対向させるように構成してもよい。
【００１３】
さらに、第２の本発明に係る遊技機の操作スイッチの取付構造は、矩形枠状の前枠と、この前枠に着脱可能に取り付けられ、略中央部に遊技領域を区画形成してなる遊技盤と、前枠の前面に開閉自在に取り付けられ、常には少なくとも遊技盤の前面の一部を覆う閉止姿勢とされて遊技盤と対向する球皿とを有して構成される遊技機において、扉部材における前面側に露出して押圧操作可能な操作部を配設し、一端部が操作部の後端部に繋がれ、他端部が操作部の押圧操作に応じて連動作動する上記同様の運動伝達機構を球皿に固設し、球皿を閉止姿勢として操作部を押圧したときに、運動伝達機構の他端部と近接対向して配設されて運動伝達機構の他端部の連動作動を検出する検出部材を有した第１の遊技盤と、運動伝達機構の他端部と近接対向して配設されて運動伝達機構の他端部の連動作動を阻止する阻止部材を有した第２の遊技盤とのいずれかを、選択的に前枠に取付可能に構成している。
【００１４】
上記運動伝達機構を、上端部が操作部の後端部と枢結されるとともに中央部に設けられる支点を中心に揺動可能な第１レバーと、上端部が第１レバーの下端部と枢結されるとともに中央部に設けられる支点を中心に揺動可能な第２レバーとから構成されるリンク機構とし、球皿を閉止姿勢としたときに第２レバーの下端部が検出部材および阻止部材のいずれかと近接対向させるように構成することが好ましい。
【００１５】
上記運動伝達機構を、操作部の後端部に枢結される転子部材と、球皿に設けられたガイド部材に保持されて上下方向に直動可能なカムプレートとを有してなる直動カム機構とし、カムプレートの両端部にテーパを形成し、一端部のテーパに転子部材が転動可能とするとともに、球皿を閉止姿勢としたときに他端部のテーパを検出部材および阻止部材のいずれかと近接対向させるように構成してもよい。
【発明の効果】
【００１６】
本発明に係る遊技機の操作スイッチ取付構造は、扉部材の前面に露出して押圧操作可能で、この押圧操作により後方摺動する摺動部を一体に備えた操作部と、操作部に連結されて押圧操作に応じて連動する運動伝達機構の端部と近接対向して配設されて該端部の連動作動を検出する検出部材を有した第１の遊技盤と、運動伝達機構の端部と近接対向して配設されて摺動部の後方摺動を阻止する阻止部材を有した第２の遊技盤とのいずれかを取り付けることにより構成される。このような構成によれば、操作手段を必要とする機種においては検出部材を有した第１の遊技盤を取り付けることによりプッシュボタン式形態の操作手段を有した遊技機を提供でき、操作手段を不要とする機種においては阻止部材を有した第２の遊技盤を取り付けることにより、操作部が押圧方向に対して不動とされて操作不能状態とされる遊技機を提供することができる。このように、機種変更において必須の盤面替えを行えば遊技盤以外の構成部材は共用することができる。さらに、リンク機構、カム機構等の運動伝達機構を設ける構成により、操作部と、操作検出部材あるいは阻止部材とが互いに取付位置の拘束を受けることを回避でき、これらの配設自由度を高めることができる。また、検出部材が非接触状態で検出を行うことや、遊技領域内に配設されることが回避され、誤作動および誤検出を引き起こすおそれがなく、また、遊技釘等の遊技構成部品のゲージ設定等をことさら困難なものとさせることのないプッシュボタン式形態の操作手段を備えた遊技機を提供することができる。
【００１７】
なお、第２の発明においては、上記発明において扉部材に摺動部材が設けられていたのに対し、第２の発明においては扉部材と同じくして遊技機の前面側に設けられるとともに、遊技盤の少なくとも一部を覆うようにして設けられる球皿に摺動部を一体に備えた操作部を配設する構成としている。このような構成によっても上記発明と同様に、上記構成の第１の遊技盤を取り付けることによりプッシュボタン式形態の操作手段を有した遊技機を提供でき、上記構成の第２の遊技盤を取り付けることにより操作部が押圧方向に対して不動とされて操作不能状態となる遊技機を提供することができ、且つ機種変更において必須の盤面替えを行えば遊技盤以外の構成部材は共用することができる。さらに、リンク機構、カム機構等の運動伝達機構を設ける構成により、操作部と、操作検出部材あるいは阻止部材とが互いに取付位置の拘束を受けることを回避でき、これらの配設自由度を高めることができる。また、検出部材が非接触状態で検出を行うことや、遊技領域内に配設されることが回避され、誤作動および誤検出を引き起こすおそれがなく、また、遊技釘等の遊技構成部品のゲージ設定等をことさら困難なものとさせることのないプッシュボタン式形態の操作手段を備えた遊技機を提供することができる。
【発明を実施するための最良の形態】
【００１８】
以下、本発明の好ましい実施形態について添付図面を参照しながら説明する。本発明に係る遊技機として、図１に正面図、図２にガラス扉を開放状態としたときの正面図、図３に背面図をそれぞれ示すパチンコ機を例にとり、まずこれらの図面を参照してパチンコ機ＰＭの概要構成について説明する。
【００１９】
パチンコ機ＰＭは、外郭方形枠サイズに構成されて縦向きの固定保持枠をなす外枠１の開口前面に、これに合わせた方形枠サイズに構成されて開閉搭載用の前枠２が互いの正面左側に配設されたヒンジ機構７で横開き開閉および着脱可能に取り付けられ、正面右側に設けられた施錠装置８を利用して常には外枠１と係合された閉鎖状態に保持される。
【００２０】
前枠２の前面上部には、前枠２の前面域に合わせた方形状のガラス扉３が正面左側に設けられたヒンジ機構７で横開き開閉および着脱が可能に取り付けられ、正面右側に設けられた施錠装置８を利用して前枠２の前面を覆う閉鎖状態に保持される。このガラス扉３は、ＡＢＳ樹脂、ＰＢＴ樹脂等の樹脂材料を射出成型等の成型手段によって成型した樹脂枠３２と背面側に枠内方の空間を埋めるようにガラス板３１が開閉自在に取り付けられている。なお、ガラス扉３は閉鎖状態で背面側に位置する後述の遊技領域ＰＡを透視可能であればよく、ガラス板に替えてアクリル板で構成してもよい。
【００２１】
前枠２の上部には、ガラス扉３の背後に位置して遊技盤を立設姿勢で収容する収容枠２ａが一体に成型されており、この収容枠２ａに設けられたクランプレバー２ｂを利用して遊技盤が前面側から着脱可能に収容保持され、常には閉鎖保持されるガラス扉３のガラス板３１を介して前面に区画形成される遊技領域ＰＡを臨ませている。このように前枠２はクランプレバー２ｂにより遊技盤１０の着脱交換が可能に構成されている。なお、本実施例では、前面側から遊技盤を着脱する構成形態としているが、前枠２に対して後方側から着脱可能とする構成形態としても本発明を実施することが可能である。
【００２２】
遊技盤１０は、ルータ加工等を施した矩形状の積層合板に、所定の図柄が印刷されたセルを貼り付けて成型される化粧板１１を基体として構成される。化粧板１１の前面には、上下２分割のレール飾り１２，１３がビス止めされ、内側に略円形の遊技領域ＰＡが区画形成されるとともに、遊技球発射装置（図示せず）から発射される遊技球を遊技領域ＰＡの上部に導く案内レール面１４ａ，１４ｂが形成される。遊技領域ＰＡの内側には多数本の遊技釘および風車１５、センタ飾り１６、各種の入賞口１７ａ，１７ｂ等の遊技構成部品が所定のゲージ設定条件下で取り付けられており、下端部においては遊技領域ＰＡを転動落下した遊技球を回収するアウト口１８設けられる。また、センタ飾り１６の内側には液晶パネル等から構成される図柄表示装置１９が前面に表示部を臨ませて設けられている。
【００２３】
前枠２の前面下部には、球皿４が前方に横開き開閉および着脱可能に取り付けられ、正面右側に設けられた球皿施錠装置（図示せず）を利用して常には前枠２の前面を覆う閉鎖状態に保持される。そして、球皿底部には傾斜のついた整列流路（図示せず）が形成されるとともに、球皿背面にはこの整列流路下流端と整合する位置に遊技球発射装置が配設されており、球皿４内に貯留される遊技球は、傾斜を伝って遊技球発射装置へと整列流下するように構成されている。
【００２４】
なお、球皿４の右下部には遊技球発射装置の作動操作を行うための発射ハンドル６が前面に突出して設けられている。また、球皿４の前面略中央部には球皿４に貯留された遊技球を下方に抜き落とすための球抜きボタン４１が配設されるとともに、左上部にはカードユニットＣＵから遊技球を借り入れるための球貸ボタン４２、カード挿入口９１に挿入した遊技カードをカードユニットＣＵから排出させるための返却ボタン４３が配設されている。さらに、例えば特別遊技状態中に実行されるサブゲームにおける操作入力を行うためのサブ入力操作ボタン４４、図柄変動時間を短縮させるための図柄変動短縮ボタン４５が設けられている。また、球皿４の左下部には、球皿４の外形輪郭線をなして上面を開放した箱状の灰皿４９が設けられている。このように本実施形態のパチンコ機ＰＭは、遊技者が右手で発射ハンドル６を操作することによって遊技を行えるとともに、遊技を継続して行いながらフリーとなる左手による各ボタン４１〜４５の操作および喫煙を可能に構成されている。
【００２５】
前枠２の裏側（後面側）には、裏セット盤５０がヒンジ機構７を利用して前枠２の後方に横開き開閉および着脱可能とされ、係止具５０ａによって前枠背面に係止状態とされて取り付けられている。裏セット盤５０には、払出用の遊技球（賞球および貸球）を貯留する球貯留タンク５１、球貯留タンク５１に貯留された遊技球を整列させて流下させるタンクレール５２、タンクレール５２からの遊技球を垂直方向へ球詰まりすることなく流下案内するＳ字レール５３、状況に応じて賞球あるいは貸球を払い出す球払出装置５４、球払出装置５４の直下に設けられて球皿４に賞球あるいは貸球を導く球払出通路５５などが設けられている。また、裏セット盤５０の背面には、遊技を制御する遊技制御装置、および電子部品に電力を供給する電源ユニット６５が配設されている。なお、遊技制御装置には、パチンコ機ＰＭの作動を統括的に制御する主制御装置６１、図柄表示装置１９の表示図柄等を制御するサブ制御装置６２、賞球および貸球の払出作動を制御する球払出制御装置６３、ホールコンピュータ（図示せず）と信号の入出力を行う外部中継端子基板６４等がある。
【００２６】
また、パチンコ機ＰＭの正面左側にはカードユニットＣＵが取り付けられている。このカードユニットＣＵの正面中段には、遊技カードを挿入するためのカード挿入口９１が設けられている。また、カードユニットの背面上段には遊技機接続コネクタ９２が設けられており、球払出制御装置６３に設けられたコネクタ６３ａとフラットケーブルＦＣを介して接続される。同様に、遊技制御装置６１〜６４、電気ユニット６５、カードユニットＣＵ、ホールコンピュータ等がケーブル（図示せず）で接続されてパチンコ機ＰＭが作動可能とされる。
【００２７】
このようなパチンコ機ＰＭにおいて、遊技カードをカードユニットＣＵのカード挿入口９１に挿入し、球貸ボタン４２を押圧操作して所定数量の遊技球を借り入れ、借り入れた遊技球を球皿４内に貯留させて遊技が開始される。球皿内の遊技球は整列流路上で待機状態とされるが、発射ハンドル６が回転操作されて遊技球発射装置が作動すると、整列待機する遊技球が遊技球発射装置のハンマにより１球ずつ叩打され、案内レール面１４ａ，１４ｂによる案内を受けて遊技領域ＰＡ内へと導かれるようになっている。
【００２８】
遊技領域ＰＡ内を転動落下する遊技球は最終的に入賞口１７ａ，１７ｂもしくはアウト口１８に入球して遊技盤背面側に回収されるが、入賞口１７ａ，１７ｂに入球すると球払出装置５４により所定数量の賞球が球皿４に払い出されるように構成されている。なお、始動入賞口１７ａに入球した場合には、賞球の払出とともに図柄表示装置１９に表示される図柄の変動が開始され、所定時間の変動後に停止図柄が表示されるように構成されている。ここで、停止図柄が所定の当たり図柄の場合には通常遊技状態から特別遊技状態へと遊技状態が移行する。特別遊技状態においては、大入賞口１７ｂが開放されて遊技球がこれに入球容易となり、遊技者に大量の賞球を得る機会が与えられる。なお、図柄変動中に図柄変動短縮ボタン４５を押圧操作すると、変動時間を短縮して停止図柄が表示され、遊技者が当たり抽選の結果を即座に確認できるようになっており、このような機能を果たすためのプログラムが遊技制御装置に具備されている。
【００２９】
ここで、サブ入力操作ボタン４４による入力操作を受けて行われるサブゲームには、例えば、特別遊技状態での遊技が所定のラウンド数であって大入賞口１７ｂの特定領域を遊技球が通過したときに該ラウンド終了後に実行されるように構成されており、図柄表示装置１９にスロットマシンのリールのようなものが表示され、リールの如く図柄変動している状態でサブ入力操作ボタンをタイミングよく操作して所定図柄を所定位置に停止させることができればゲームクリアとするもの等があり、クリア後において遊技演出効果をより高度に行うとするもの等がある。なお、このサブゲームの実行処理のためのプログラムが遊技制御装置に具備されている。
【００３０】
そして、返却ボタン４３を押圧操作することによりカード挿入口９１から遊技カードを排出するようになっているとともに、球抜きボタン４１，４１を押圧操作することにより球皿４に貯留されている遊技球を下方に落下させるようになっている。このような操作を行って遊技が終了される。
【００３１】
このように概要構成されるパチンコ機ＰＭ１において、本実施例においては、サブ入力操作ボタン４４を本発明に係る操作スイッチとして適用している。以下、図５，図６を併せて参照し、本発明に係る操作スイッチについて説明する。ここで、便宜上、図１，図２に示す遊技盤１０を第１の遊技盤１０と称して以降の説明を行う。
【００３２】
本実施例において、サブ入力操作ボタン４４は、パチンコ機ＰＭ１の前面側にボタン操作部７１ｂを吐出して設けられる操作部７０と、操作部７０の後方に位置して配設される操作検出部７５と、操作部７０の後端に連結されて操作部７０と操作検出部７５との間に介設されるリンク機構９０とから構成される。
【００３３】
操作部７０は、ガラス扉３に設けられた穿設孔３ａに貫通して設けられて前後方向に摺動可能な摺動部材７１と、この摺動部材７１を常には図５に示す常態位置に付勢する圧縮バネ７２とを有して構成されている。この摺動部材７１は、図１，図５に示すように、円柱状の摺動部７１ａの一端側に略半球状のボタン操作部７１ｂを、他端側にフランジ部７１ｃを備えて形成されており、ボタン操作部７１ｂを前方に臨ませるとともに、フランジ部７１ｃをガラス扉３の背面側に位置するようにして、ガラス扉３の穿設孔３ａを貫いて設けられている。圧縮バネ７２は、略半球状のボタン操作部７１ｂの背面とガラス扉３の樹脂部３２との間に跨設されており、摺動部材７１を前方側に付勢するように構成されている。ここで、摺動部材のフランジ部７１ｃは樹脂部３２と当接しており、圧縮バネ７２による付勢を規制するように構成されている。
【００３４】
操作検出部７５は、外郭円筒状で一端面にプッシュ式のスイッチ部７６ａを備える検出部材７６と、検出部材７６の他端面に接続されて延びるケーブル（図示せず）とから構成されている。この検出部材７６は、第１の遊技盤１０のレール飾り１３に設けられた凹溝１３ａ内に密嵌収容されており、プッシュ部７６ａを第１の遊技盤１０の前面側に臨ませるようにして配設されている。なお、このケーブルは、凹溝１３ａの後端面および化粧板１１に小孔を設け、検出部材７６を密嵌収容する際にこれら小孔を介して遊技盤の背面側に延ばし、前枠背面側に設けられるコネクタ（図示せず）に接続することにより、プッシュ部７６ａがプッシュされるとオン信号が遊技制御装置に入力されるように構成する等、オン信号を遊技制御装置に送信可能な構成であればどのような配線構成であってもよい。
【００３５】
リンク機構１９０は、摺動部材７１の後端部７１ｄに上端部が枢結される第１レバー１９１と、揺動ピン１９３を介して第１レバー１９１の下端部と枢結される第２レバー１９２とから構成され、第１レバー１９１および第２レバー１９２は、それぞれの中央部に設けられる支点１９１ｃ、１９２ｃを中心として揺動可能に構成されている。
【００３６】
このような第１の遊技盤１０を収容枠２ａに前方側から収容してクランプレバー２ｂで係止することにより前枠２に対して立設姿勢で収容保持されるように取り付けて構成されるパチンコ機ＰＭ１において、ガラス扉３を閉鎖すると、図５に示すように、ガラス扉３側に設けられるリンク機構１９０の第２レバーの下端部１９２ｂが第１の遊技盤１０のレール飾り１３の凹溝１３ａ内に密嵌収容される検出部材７６のスイッチ部７６ａに近接対向した状態で閉止姿勢とされ、サブ入力操作ボタン４４が構成される。なお、ガラス扉３の開放方向は操作検出部７５に対して逃げる方向であり、摺動部材７１を貫通して設けることによってガラス扉３の開閉動作に支障を来すといったようなことはない。
【００３７】
このように構成されるサブ入力操作ボタン４４において、特別遊技状態で遊技制御装置によりサブゲームが実行され、遊技者が圧縮バネ７２の付勢力に抗してボタン操作部７１ｂを押圧操作すると、摺動部材７１がガラス扉３に設けた穿設孔３ａによる案内を受けながら後方摺動することにより、摺動部材７１の後端部７１ｄと枢結される第１レバー１９１が支点１９１ｃを中心として図示する右回り方向に揺動し、連れて第１レバーの下端部と枢結ピン１９３を介して連結する第２レバー１９２が支点１９２ｃを中心として左回り揺動する。即ち、第２レバーの下端部１９２ａは図５に示す常態位置から後方へ揺動してスイッチ部７６ａがプッシュされることとなり、これを受けて検出部材７６とケーブルを介して接続される遊技制御装置にオン信号が送信されてサブゲームの実行処理が続行される。オン信号がケーブルを介して遊技制御装置に送信される。また、ボタン操作部７１ｂの押圧操作を解除すると、圧縮バネ７２による付勢、および摺動部材７１のフランジ部７１ｃと樹脂部３２との当接による前方動規制を受けてボタン操作部７１ｂが図５に示す常態位置に復帰摺動し、これに伴いリンク機構１９０の第１レバー１９１が左回り揺動され、連れて第２レバー１９２が右回り揺動されて常態位置に復帰することから、プッシュ部７６ａがプッシュオフ状態となる。
【００３８】
上記までの説明では、サブゲームを実行処理するプログラムが遊技制御装置内に備えられているものとしてパチンコ機の構成を説明してきたが、このようなプログラムを備えていないパチンコ機、即ちサブ入力操作ボタン４４を不要とする機種もある。続いて、本発明に係る第２の遊技盤２０を取り付けて構成したこのような機種のパチンコ機ＰＭ２について、図４，図６を参照して説明する。
【００３９】
当パチンコ機ＰＭ２は、本発明に係る第２の遊技盤２０を取り付けて構成されているが、操作部７０を設けて構成されるガラス扉３を含めて、第２の遊技盤２０以外のパチンコ機ＰＭ２を構成する機構および部材は、上記した第１の遊技盤１０が取り付けられたパチンコ機ＰＭ１と同一のものとされている。
【００４０】
第２の遊技盤２０は、第１の遊技盤１０とはセルに印刷される図柄が異なる一方、基板とされるベニヤ、あるいはレール飾り２２，２３等は同一材料で同一形状に形成されるとともに、レール飾り２３には第１の遊技盤１０のレール飾り１３に形成されていたものと同一形状の凹溝２３ａが同一位置に形成されている。また、入賞口２７ａ，２７ｂ、センタ飾り２６、アウト口２８、図柄表示装置２９等の遊技構成部品についても、それぞれの機能および作用は同様のものとされている。
【００４１】
第２の遊技盤２０において、レール飾り２３に設けられる凹溝２３ａ内には、円筒ブロック状の阻止部材８６が密嵌されている。この阻止部材８６は、レール飾り２３と同様にしてＡＢＳ樹脂、ＰＢＴ樹脂等により形成してもよいし、他材料により形成してもよい。
【００４２】
このような第２の遊技盤２０においても、第１の遊技盤１０と同様にして、収容枠２ａの前面から収容され、クランプレバーにより係止されて前枠２に立設姿勢で収容保持される。遊技に供するためにガラス扉３を閉鎖すると、第２レバー１９２の下端部１９２ｂと阻止部材８６の前端面８６ａとが近接対向した状態とされる。上記の通り、第２の遊技盤２０を取り付けたパチンコ機ＰＭ２には、サブゲームを実行処理するプログラムが遊技制御装置に具備されていない。ここで、遊技者が誤ってガラス扉の前面に露出するサブ入力操作ボタン４４のボタン操作部７１ｂを押圧したとしても、凹溝２３ａ内に密嵌されている阻止部材８６の前端面８６ａと第２レバー１９２の下端部１９２ｂとの近接対向により、第２レバー１９２の下端部１９２ｂの後方動が阻止されてボタン操作部７１ｂは不動とされる。即ち、阻止部材８６を凹溝２３ａ内に密嵌収容した第２の遊技盤２０を取り付けてパチンコ機ＰＭ２を構成することにより、サブ入力操作ボタン４４は操作不能状態となる。
【００４３】
このように、本発明に係る操作スイッチによれば、サブゲーム実行プログラムを遊技制御装置に具備するパチンコ機ＰＭ１においては、凹溝１３ａ内に検出部材７６を密嵌収容した第１の遊技盤１０を取り付けることでプッシュボタンによるサブゲームの入力操作が可能となり、上記プログラムを具備しないパチンコ機ＰＭ２においては凹溝２３ａ内に阻止部材８６を密嵌収容した第２の遊技盤２０を取り付けることでサブ入力操作ボタン４４を操作不能状態とすることができ、パチンコ機ＰＭを構成する遊技盤１０，２０以外の機構および構成部材を共用することができる。また、操作不能状態とするために新たな部材を必要とすることなくサブゲーム実行プログラムを備えていないパチンコ機ＰＭ２を製作することができる。
【００４４】
また、本実施例においては、操作ボタン部７１ｂがパチンコ機ＰＭの前面に露出するプッシュボタン式形態であるため、誤作動あるいは誤検出されるようなことがない。また、レール飾り１３，２３に凹溝１３ａ，２３ａを設け、これに検出部材７６あるいは阻止部材８６を密嵌収容する構成としており、遊技領域ＰＡ内にこれらが配設されることを回避している。このため、遊技釘等の遊技構成部品のゲージ設定等を殊更困難なものとすることなくパチンコ機ＰＭを構成することができる。
【００４５】
また、本実施例の操作手段は、操作部７０が配設容易な位置と、凹溝１３ａ，２３ａの配設容易な位置とが同一軸線上になくても構成可能としており、操作部７０と凹溝１３ａ，２３ａの配設自由度を高めたパチンコ機ＰＭを提供することができる。
【００４６】
続いて、図７，図８を参照して他の構成例について説明する。本構成例においては、運動伝達機構としてカム機構２９０を適用し、サブ入力操作ボタン４４を構成している。なお、図７に示す遊技盤１０は図５に示す第１の遊技盤１０と同一のものとしており、その他上記実施例と同一の部材に関しては、同一符号を付して重複説明を省略する。
【００４７】
図７に示す構成例によるサブ入力操作ボタン４４は、上記実施例と同様構成の操作部７０と、上記実施例と同様構成の操作検出部７５と、摺動部材７１の後端部７１ｄに連結されるカム機構２９０とから構成される。
【００４８】
カム機構２９０は、ボタン操作部７１ｂの後端に枢結された転子２９１と、ガラス板３１に設けられて円筒状に形成される２つのガイド部材２９３，２９３の円筒内部に収容保持されて上下方向に直動可能なカムプレート２９２と、一方のガイド部材２９３とカムプレート中央部に設けたフランジ部２９２ｃとの間に跨設されて常にはカムプレート２９２を図７に示す常態位置に付勢する圧縮バネ２９４とからなる直動カムであって、カムプレート２９２の両端にはそれぞれテーパ面２９２ａ，２９２ｂが形成されており、上テーパ面２９２ａを転子２９１が転動するように構成されている。
【００４９】
このようなパチンコ機ＰＭ１において、第１の遊技盤１０を前枠に立設姿勢で収容保持してガラス扉３を閉鎖すると、カムプレート２９２の下テーパ面２９２ｂが第１の遊技盤１０のレール飾り１３の凹溝１３ａ内に密嵌収容される検出部材７６のスイッチ部７６ａに近接対向した状態で閉止姿勢とされ、サブ入力操作ボタン４４が構成される。
【００５０】
このように構成されるサブ入力操作ボタン４４において、特別遊技状態で遊技制御装置によりサブゲームが実行され、遊技者が圧縮バネ７２の付勢力に抗してボタン操作部７１ｂを押圧操作すると、摺動部材７１の後端部７１ｄが後方摺動し、後端部７１ｄに軸支された転子２９１が後方に直動しながら上テーパ面２９２ａを転動する。これによりカムプレート２９２が圧縮バネ２９４の付勢力に抗してガイド部材２９３，２９３の案内を受けながら図７に示す常態位置から下方に直動する。カムプレート２９２の下方直動に伴い下テーパ面２９２ｂと近接対向する検出部材７６のスイッチ部７６ａがプッシュされ、これを受けてオン信号がケーブルを介して遊技制御装置に送信される。また、ボタン操作部７１ｂの押圧操作が解除されると、圧縮バネ７２による付勢および摺動部材７１のフランジ部７１ｃと樹脂部３２との近接対向による前方動規制を受けて摺動部材７１が図７に示す常態位置に復帰摺動するとともに、圧縮バネ２９４の付勢を受けてカムプレート２９２が図７に示す常態位置に復帰摺動し、スイッチ部７６ａがプッシュオフ状態となる。
【００５１】
また、図８に示すように、サブゲーム実行プログラムを備えていないパチンコ機ＰＭ２に対しては、図６に示した第２の遊技盤２０を取り付けて構成される。なお、本構成例において、阻止部材８６の前端面８６ａにはカムプレート２９２のテーパ面と係合可能に形成された突起部２８６ｂが突出して設けられている。このような第２の遊技盤２０を取り付けて構成されるパチンコ機ＰＭ２において、遊技に供するためガラス扉３を閉止姿勢とすると、カムプレート２９２の下テーパ面２９２ｂと阻止部材８６の突起部２９６ｂとの係合により、ボタン操作部７１ｂを押圧してもカムプレートの下方摺動が阻止されるためボタン操作部７１ｂが不動となり、サブ入力操作ボタンは操作不能状態とされる。
【００５２】
このように、本構成例においてもリンク機構１９０を介してサブ入力操作ボタン４４を構成したときと同様にして、サブゲーム実行プログラムを備えたパチンコ機ＰＭ１とこれを備えないパチンコ機ＰＭ２とを、検出部材７６を設けた第１の遊技盤１０と阻止部材８６を設けた第２の遊技盤２０とを選択的に取り付けることにより、その他の機構および部材を変更することなく且つサブゲーム実行プログラム備えないパチンコ機ＰＭ２においてはサブ入力操作ボタン４４が操作不能状態となるように構成できる。また、同様にして、操作部７０の配設位置と凹溝１３ａ，２３ａの配設位置が互いに拘束を受け合うことを回避し、操作部７０および凹溝１３ａ，２３ａの配設自由度を高めることができる。
【００５３】
上記２つの変更構成例においては、リンク機構、カム機構といった機械運動機構によって伝達していたが、流体伝導によって運動を伝達するように構成してもよい。以下、流体伝導機構としてピストン機構を適用した例について図９，図１０を参照して説明する。ここで、図９に示す遊技盤１０は、図５に示す第１の遊技盤１０と同一のものである。
【００５４】
なお、本構成例において操作部７０を構成する摺動部材３７１は、上記各構成例と同様にして略半球状のボタン操作部７１ｂと、後端部７１ｄにフランジ部７１ｃが形成されているとともに、後端側から前方に向かって円筒部３７１ｅが形成されている。
【００５５】
ピストン機構３９０は、平板部３９１ａの一端面に円筒部３９１ｂを突出して設け、他端面に円筒部３９１ｂと連通されるとともに直角屈曲した管状のエルボ部３９１ｃを突出して設け、平板部３９１ａがガラス板３１に当接されるとともに円筒部３９１ｂを摺動部材の円筒部３７１ｅと嵌合させて取り付けられる第１油室形成部材３９１と、円筒部３９２ａとこの円筒部３９２ａに連通するポート部３９２ｂを有して形成されてガラス扉３の背面側に設けられた円溝３ｂ内に収容保持される第２油室形成部材３９２と、一端開口を第１油室形成部材３９１のエルボ部３９１ｃに、他端開口を第２油室形成部材３９２のポート部３９２ｂにそれぞれ嵌め込んで取り付けられるホース部材３９３と、第２油室形成部材３９２の円筒部３９２ａを閉塞して設けられるピストン３９４とから構成され、摺動部材３７１が円筒部３７１ｅの内周面を第１油室形成部材３９１の円筒部３９１ｂの外周面に沿うようにして前後方向に摺動可能とされるとともに、ピストン３９４が第２油室形成部材３９２の円筒部３９２ａの内周面を前後方向に摺動可能とされている。そして、嵌合する摺動部材３７１の円筒部３７１ｅおよび第１油室形成部材３９１の円筒部３９１ｂの内方に形成される第１油室ＯＲ１、第２油室形成部材３９２の円筒部３９２ａとピストン３９４のヘッド部により形成される第２油室ＯＲ２、および両油室ＯＲ１，ＯＲ２を連通するホース部材３９３には、オイルＯが充填されており、摺動部材３７１の円筒部３７１ｅおよびピストン３９４には、それぞれＯリング等によるシールＳが施されている。
【００５６】
第１の遊技盤１０を前枠に立設姿勢で収容保持してガラス扉３を閉鎖すると、ピストン機構３９０のピストン３９４が第１の遊技盤１０の下レール飾り１３の凹溝１３ａ内に密嵌収容された検出部材７６のスイッチ部７６ａに近接対向した状態で閉止姿勢とされる。
【００５７】
このように構成されるサブ入力操作ボタン４４において、特別遊技状態で遊技制御装置によりサブゲームが実行され、遊技者が圧縮バネ７２の付勢力に抗してボタン操作部７１ｂを押圧操作すると、摺動部材３７１の後方摺動に伴って第１油室ＯＲ１が閉鎖され、オイルＯがホース３９３を介して第２油室ＯＲ２に流入し、この流入圧を受けてピストン３９４が図９に示す常態位置から円筒部３９２ａを後方へ摺動する。ピストン３９４の後方摺動に伴ってピストン３９４の後端面と近接対向する検出部材７６のスイッチ部７６ａがプッシュされ、これを受けてオン信号がケーブルを介して遊技制御装置に送信される。また、遊技者がボタン操作部７１ｂの押圧操作を解除すれば、圧縮バネ７２による付勢、および摺動部材３７１のフランジ部７１ｃの樹脂部３２との当接による前方動規制を受けてボタン操作部７１ｂが図９に示す常態位置に復帰摺動し、これに伴って第１油室ＯＲ１が開放されてオイルＯが第１油室ＯＲ１内に流入するようになり、ピストン３９４が図９に示す常態位置に復帰摺動することから、プッシュ部７６ａがプッシュオフ状態となる。
【００５８】
また、図１０に示すように、サブゲーム実行プログラムを備えていないパチンコ機ＰＭ２に対しては、図６に示した第２の遊技盤２０を取り付けて構成される。このようなパチンコ機ＰＭ２において、遊技に供するためガラス扉３を閉止姿勢とすると、ピストン３９４の後端面と阻止部材８６の前端面８６ａとが近接対向する。このため、ボタン操作部７１ｂを押圧してもピストン３９４の後方摺動が阻止されることからボタン操作部７１ｂは不動となり、サブ入力操作ボタンは操作不能状態とされる。
【００５９】
このように、本構成例においても、リンク機構１９０、カム機構２９０を有してサブ入力操作ボタン４４を構成したときと同様にして、サブゲーム実行プログラムを備えたパチンコ機ＰＭ１と、これを備えないパチンコ機ＰＭ２とを、検出部材７６を設けた第１の遊技盤１０と阻止部材８６を設けた第２の遊技盤２０とを選択的に取り付けることにより、その他の機構および部材を変更することなく且つサブゲーム実行プログラム備えないパチンコ機ＰＭ２においてはサブ入力操作ボタン４４が操作不能状態となるように構成できる。また、同様にして、操作部７０および凹溝１３ａ，２３ａのそれぞれの配設位置が互いに拘束を受けることがないことから、操作部７０および凹溝１３ａ，２３ａの配設自由度を高めることができる。
【００６０】
上記各構成例において、凹溝１３ａは摺動部材７１の軸線よりも下方に偏位配設されているが、左右方向に偏位配設しても同様に構成可能であり、同様の効果を得ることができる。
【００６１】
なお、上記各構成例においては、操作部７０と凹溝１３ａ，２３ａとを異軸上に配設してサブ入力操作ボタン４４が構成されたが、同軸上に配設可能な場合は、図１１，図１２に示すように上記各実施例で適用された運動伝達するための機構を省略して操作手段を構成することができる。以下、図１１，図１２を参照して操作手段の他の変更構成例について説明する。
【００６２】
本構成例において、サブ入力操作ボタン４４は、パチンコ機ＰＭの前面側にボタン操作部７１ｂを露出して設けられる操作部７０と、操作部７０の後方に位置して配設される操作検出部７５とから構成される。
【００６３】
操作部７０は、上記実施例と同様の摺動部材７１と、上記実施例と同様の圧縮バネ７２とから構成されており、ボタン操作部７１ｂが前方に露出するとともに、フランジ部７１ｃがガラス板３１と当接するようにガラス扉３の穿設孔３ａに貫通して設けられ、ボタン操作部７１ｂの背面と、樹脂部３２との間に跨設されて図示する位置に摺動部材７１を付勢するように構成されている。
【００６４】
そして、本構成例において適用される第１の遊技盤１００の凹溝１１３ａは、レール飾り１１３に上記実施例の凹溝１３ａとは異なる位置で且つ同一寸法で設けられており、この凹溝１１３ａに上記実施例と同様の検出部材７６がスイッチ部７６ａを前面に臨ませて密嵌収容されている。
【００６５】
このような第１の遊技盤１００を収容枠２ａに前方側から収容してクランプレバー２ｂで係止することにより前枠２に対して立設姿勢で収容保持されるように取り付け、ガラス扉３を閉鎖すると、図１１に示すように、操作部７０の摺動部材７１と操作検出部７５の検出部材７６とが同一軸線上に位置し、摺動部材の後端面７１ｄと検出部材７６のスイッチ部７６ａとが近接対向した状態となって閉止姿勢とされ、サブ入力操作ボタン４４が構成される。
【００６６】
第１の遊技盤１００を取り付けたパチンコ機ＰＭ１が遊技に供され、サブゲームが開始されると、遊技者が圧縮バネ７２の付勢力に抗してボタン操作部７１ｂを押圧操作することにより、摺動部７１ａがガラス扉３に設けた穿設孔３ａによる案内を受けながら後方に直動し、検出部材７６のスイッチ部７６ａが摺動部材の後端面７１ｄによりプッシュされることとなる。これを受けてオン信号がケーブルを介して遊技制御装置に送信される。また、遊技者がボタン操作部７１ｂの押圧操作を解除すると、後方直動していた摺動部材７１が圧縮バネ７２による付勢およびフランジ部７１ｃとガラス板３１との当接による前方動規制を受けてボタン操作部７１ｂが図１１に示す常態位置に復帰摺動することから、スイッチ部７６ａがプッシュオフ状態となる。
【００６７】
また、本構成例においては、サブゲーム実行プログラムを備えていないパチンコ機ＰＭ２に対しては、図１２に示すように、図１１に示す第１の遊技盤１００と同様にして、レール飾り２１３に凹溝２１３ａを設け、この凹溝２１３ａ内に上記実施例と同様の阻止部材８６を密嵌収容して構成される第２の遊技盤２００が取り付けられる。なお、第２の遊技盤２００の凹溝２１３ａは、上記第１の遊技盤１００の凹溝１１３ａと同一位置に形成されている。このようなパチンコ機ＰＭ２の遊技に供するためガラス扉３を閉止姿勢とすると、第２レバー１９２の下端部１９２ｂと阻止部材８６の前端面８６ａとの近接対向により、ボタン操作部７１ｂを押圧しても第２レバーの下端部１９２ｂの後方揺動が阻止されてボタン操作部７１ｂが不動となり、サブ入力操作ボタンは操作不能状態とされる。
【００６８】
このように、本構成例によれば上記実施例と同様に、サブゲーム実行プログラムを備えたパチンコ機ＰＭ１と、これを備えないパチンコ機ＰＭ２とを、検出部材７６を設けた第１の遊技盤１００と阻止部材８６を設けた第２の遊技盤２００とを選択的に取り付けることでそれぞれ構成でき、遊技盤以外のパチンコ機ＰＭを構成する機構および部材を共用することができる。また、本構成例においても、操作ボタン部７１ｂがパチンコ機ＰＭの前面に露出するプッシュボタン式形態であるため、誤作動あるいは誤検出されるようなことはなく、また、レール飾りに凹溝を設けて遊技領域ＰＡ内に検出部材７６あるいは阻止部材８６が配設されることを回避している。このため、遊技釘等の遊技構成部品のゲージ設定等を殊更困難なものとすることなくパチンコ機ＰＭを構成することができる。
【００６９】
なお、検出部材を円筒状に形成するとともに外側面にネジを切り、凹溝内周面においてもネジを切って両者を螺合により固定するなど、検出部材の形状および固定方法は上記構成例のものに限られるものではなく、他の形状、固定方法であっても本発明を実施することができ、同様の効果を得ることができる。
【００７０】
また、本実施例においては、サブ入力操作ボタン４４を本発明に係る操作スイッチに適用して説明したが、他の操作手段に適用しても実施可能であって、例えば、球貸ボタン４２および返却ボタン４３に適用することによってＣＲ機と現金機との間で遊技盤以外の機構および部材を共用することができ、また、図柄短縮ボタン４５に適用することによって図柄短縮機能を有する機種と該機能を有しない機種との間で遊技盤以外の機構および部材を共用することができる。
【００７１】
さらに、本実施例では、遊技機の一例としてパチンコ機をあげて説明を行ったが、必ずしもこれに限られるものではなく、アレンジボール、雀球遊技機等についても、遊技盤を有するとともに、各種の遊技操作手段を備える遊技機であれば同様に適用できる。
【００７２】
上記各構成例において、摺動部材７１をガラス扉３に取り付ける構成の取付構造を説明してきたが、ガラス扉３と同様に球皿４が閉止姿勢とされたときに遊技盤の一部とオーバーラップするように構成されるパチンコ機ＰＭにおいては、摺動部材を球皿４に配設して構成してもよく、このとき、上記各構成例と同様にして、ボタン操作部７１ｂを前面に露出させるように摺動部材を上記オーバーラップ部分に配設し、球皿を閉止姿勢としたときに摺動部材の後端面と近接対向する位置に上記各構成例と同様の検出部材を設けて構成した遊技盤と、同じく近接対向する位置に上記各構成例と同様の阻止部材を設けて構成した遊技盤とを選択的に取付可能に構成される。なお、このような球皿に摺動部材を設けるとする本実施例においても、摺動部材の後端面と、検出部材あるいは阻止部材とを近接対向させる構成、リンク機構を介して両者を近接対向させる構成、カム機構を介して両者を近接対向させる構成、ピストン機構を介して両者を近接対向させる構成等の上記各構成例を同様にして実施することが可能であり、それぞれの構成例と同様の効果を得ることができる。
【００７３】
以上説明した本発明の実施形態において、達成される主要な効果を整理すれば、下記のようになる。
【００７４】
第１に、ボタン操作部７１ｂをガラス扉３の前面に露出させ、このボタン操作部の押圧操作に応じて後方摺動する摺動部材７１の後端面７１ｄと近接対向して摺動部材の後方動を検出する検出部材を有した遊技盤１０を前枠２に取り付けて構成しており、操作検出部材がガラス扉３の背面に配設されて非接触状態での検出を行うことや、遊技領域ＰＡ内に配設されることが回避され、誤作動および誤検出を引き起こすおそれがなく、且つ遊技釘等の遊技構成部品のゲージ設定等を殊更困難なものとさせずにパチンコ機を構成することができる。
【００７５】
第２に、前後方向に摺動可能な摺動部材７１をガラス扉に設け、ガラス扉３を閉止姿勢としたときに摺動部材の後端面と近接対向して検出部材７６を取り付けた第１の遊技盤１０と、阻止部材８６を取り付けた第２の遊技盤２０とを選択的に取り付けることによって
遊技盤以外のパチンコ機ＰＭを構成する機構および部材を共用することができる。
【００７６】
また、摺動部材７１と検出部材７６あるいは阻止部材８６との間にリンク機構１９０、カム機構等の運動伝達機構、あるいはピストン機構３９０等の液圧伝導機構を介設することによって、摺動部材７１の取付位置と、検出部材７６あるいは阻止部材８６が収容される凹溝１１３ａ，２１３ａの取付位置とが互いに拘束を受けることがなく、配設自由度を高めることができる。
【図面の簡単な説明】
【００７７】
【図１】本発明に係る遊技機の一例として示す第１の遊技盤を取り付けたパチンコ機の正面図である。
【図２】図１に示すパチンコ機のガラス扉を９０度開放して示す正面図である。
【図３】図１，図２に示すパチンコ機の背面図である。
【図４】本発明に係る遊技機の一例として示す第２の遊技盤を取り付けたパチンコ機の正面図である。
【図５】本発明に係る遊技機の操作スイッチ取付構造を示す断面図である。
【図６】本発明に係る遊技機の操作スイッチ取付構造を示す断面図である。
【図７】他の構成例において第１の遊技盤を適用した遊技機の断面図である。
【図８】他の構成例において第２の遊技盤を適用した遊技機の断面図である。
【図９】他の構成例において第１の遊技盤を適用した遊技機の断面図である。
【図１０】他の構成例において第２の遊技盤を適用した遊技機の断面図である。
【図１１】他の構成例において第１の遊技盤を適用した遊技機の断面図である。
【図１２】他の構成例において第２の遊技盤を適用した遊技機の断面図である。
【符号の説明】
【００７８】
ＰＭ  パチンコ機
ＰＡ  遊技領域
２  前枠
３  ガラス扉
４  球皿
１０，１００  第１の遊技盤
２０，２００  第２の遊技盤
１２，２２  （上）レール飾り
１３，１１３，２３，２１３  （下）レール飾り
（１３ａ，２３ａ，１１３ａ，２１３ａ  凹溝）
４１〜４５  操作手段
７０  操作部
７１  摺動部材
（７１ａ  摺動部、７１ｂ  ボタン操作部、７１ｃ  フランジ部、７１ｄ  後端面）
７５  操作検出部
７６  検出部材
８６  阻止部材
１９０  リンク機構
２９０  カム機構
３９０  ピストン機構
【図１】
2006034807.tif 000003
【図２】
2006034807.tif 000004
【図３】
2006034807.tif 000005
【図４】
2006034807.tif 000006
【図５】
2006034807.tif 000007
【図６】
2006034807.tif 000008
【図７】
2006034807.tif 000009
【図８】
2006034807.tif 000010
【図９】
2006034807.tif 000011
【図１０】
2006034807.tif 000012
【図１１】
2006034807.tif 000013
【図１２】
2006034807.tif 000014